(57)【要約】【課題】小動物用のトイレにおいて、砂保持部材の貫通孔の目詰まりを防止すること、又、清掃作業が極めて容易に行えること、ひいては小動物の糞尿による悪臭の発生を低減可能とすることを目的とする。又、清掃作業の回数を減らすことができる、使用者が使用しやすい小動物用のトイレを提供すること。【解決手段】外側容器２に、底面３１の下面３１１方向への拡開部３２１を備えた複数の貫通孔３２，３２…を穿設している砂保持部材３と、砂保持部材３の底面３１の下面３１１上を摺動する毛４２３が植毛された回動可能なベルト４２を有する摺動部材４９を備える清掃手段４及び引出５を収納し、スコップ収納部材６を着脱自在に設置する。【選択図】  図１
2005143401.tif 000002
【特許請求の範囲】
【請求項１】
外側容器内に底面に複数の貫通孔を有する砂保持部材を設置した小動物用トイレであって、砂保持部材の貫通孔は底面の下面方向への拡開部を備えることを特徴とする小動物用トイレ。
【請求項２】
外側容器内に底面に複数の貫通孔を有する砂保持部材を設置した小動物用トイレであって、砂保持部材の底面の下面上を摺動する摺動部材を有する清掃手段を備えることを特徴とする小動物用トイレ。
【請求項３】
外側容器内に底面に複数の貫通孔を有する砂保持部材を設置した小動物用トイレであって、砂保持部材の貫通孔は底面の下面方向への拡開部を備えると共に、砂保持部材の底面の下面上を摺動する摺動部材を有する清掃手段を備えることを特徴とする小動物用トイレ。
【請求項４】
外側容器の底面上に引出を備えることを特徴とする請求項１乃至請求項３のうち何れか一項に記載の小動物用トイレ。
【請求項５】
引出には敷物を固定するための固定手段を備えることを特徴とする請求項４に記載の小動物用トイレ。
【請求項６】
掛止部材を備えたスコップ収納部材を着脱自在に設置したことを特徴とする請求項１乃至請求項５のうち何れか一項に記載の小動物用トイレ。
【発明の詳細な説明】
【技術分野】
【０００１】
本発明は猫や犬等の小動物用トイレに関し、特に外側容器内に底面に複数の貫通孔を有する砂保持部材を設置し、砂保持部材にいわゆるトイレ砂を収納して用いる小動物用トイレであって、その清掃が容易で、小動物の糞尿による悪臭の発生を低減可能な小動物用トイレに関する。
【背景技術】
【０００２】
近年では猫や犬等の小動物をペットとして室内で飼うことが多くなっており、小動物の糞尿の処理のために小動物用のトイレが用いられている。従来から小動物用のトイレにはトレー状のものやいわゆるトイレ砂を収納する凹部を有する上部開口の箱状単体のもの等が用いられている。トレー状のトイレはトレー上に水分を吸収する吸収シートを敷き、小動物は吸収シート上で用をたすものであり、犬等には便利であるが、ものを引っ掻いたり、排泄物に砂をかける習性のある猫等には不向きであり、猫用には主にトイレ砂を収納した上部開口の箱状単体のトイレが用いられている。
【０００３】
このような箱状のトイレに用いるトイレ砂は、おから、紙、木材、ベンナイト、ゼオライト、ポリプロピレン等の合成樹脂等を主な材料として用い円柱状、球状等に造粒したもの等があり、その作用としては吸水性のもの、撥水性のものがあり、吸水性のものは尿の吸収により崩壊するもの、他の砂粒と結合し塊を形成するもの等がある。又、このようなトイレ砂にシリカゲル等の脱臭効果のある粒状体を混合して用いることも行われている（以下このような粒状体を含めて単にトイレ砂という。）。いずれにしても、トイレ砂は尿の吸収、小動物の体重による圧力或いは砂同士の摩擦等により破砕され又は小さくなる。
【０００４】
このようなトイレ砂を用いた場合、箱状単体のトイレは底部に尿やトイレ砂の破片等がたまり、雑菌が繁殖し、悪臭が発生しやすく、又、清掃も総ての砂を除去して行う必要があるので、容易ではないという欠点があった。
【０００５】
そこで、上部開口の箱状の外側容器と砂保持部材として用いられる上部開口の箱状の内側容器からなる二重構造であって、外側容器の底面と内側容器の底面間に空間を設け、内側容器にはトイレ砂の粒径より小さい貫通孔を多数設け、内側容器の凹部にトイレ砂を収納し、トイレ砂の破片、尿等が内側容器の底面を通過し外側容器の底面上に溜まる構造としたトイレが用いられている（例えば、特許文献１及び２参照。）。
【０００６】
しかし、このような二重構造のトイレは、トイレ砂の破砕等により、砂保持部材としての内側容器の貫通孔にトイレ砂の破片等が目詰まりし、貫通孔に詰まった尿を吸収したトイレ砂の破片自体、該破片による尿の落下及び尿を吸収したトイレ砂の破片落下の妨げによる悪臭の発生という問題点があった。又、内側容器の貫通孔の目詰まりの解消や外側容器の底部に溜まったトイレ砂の破片や尿の除去のための清掃には内側容器からの砂の除去、外側容器と内側容器の分解をする必要があり、その作業は困難且つ煩雑である等の問題点があった。
【０００７】
更に、従来のトイレは付属品のスコップを収納する手段が全く設けられていないか、設けられていても、内側或いは外側の容器に固定されているため、トレイ１の設置場所、設置方法によっては使用できず、或いは使用しにくいという問題点があった。
【０００８】
【特許文献１】実開平６−６４４５３号公報
【特許文献２】特開平１０−３３０８１号公報
【発明の開示】
【発明が解決しようとする課題】
【０００９】
そこで、本発明は雑菌や悪臭を発生させる砂保持部材の貫通孔の目詰まりを防止する小動物用のトイレを提供すること、又、清掃作業が極めて容易に行える小動物用のトイレを提供すること、ひいては小動物の糞尿による悪臭の発生を低減可能な小動物用のトイレを提供することを目的とする。又、清掃作業の回数を減らすことができる小動物用のトイレを提供することを目的とする。更に、使用者が使用しやすい小動物用のトイレを提供することを目的とする。
【課題を解決するための手段】
【００１０】
上記課題を解決するための第一の手段は、外側容器内に底面に複数の貫通孔を有する砂保持部材を設置した小動物用トイレであって、砂保持部材の貫通孔は底面の下面方向への拡開部を備えることを特徴とする小動物用トイレである。
【００１１】
又、第二の手段は、外側容器内に底面に複数の貫通孔を有する砂保持部材を設置した小動物用トイレであって、砂保持部材の底面の下面上を摺動する摺動部材を有する清掃手段を備えることを特徴とする小動物用トイレである。
【００１２】
又、第三の手段は、外側容器内に底面に複数の貫通孔を有する砂保持部材を設置した小動物用トイレであって、砂保持部材の貫通孔は底面の下面方向への拡開部を備えると共に、砂保持部材の底面の下面上を摺動する摺動部材を有する清掃手段を備えることを特徴とする小動物用トイレである。
【００１３】
又、第四の手段は、第一乃至第三の手段において外側容器の底面上に引出を備えることを特徴とする小動物用トイレである。
【００１４】
又、第五の手段は、第四の手段において、引出には敷物を固定するための固定手段を備えることを特徴とする小動物用トイレである。
【００１５】
又、第六の手段は、第一乃至第五の手段において、掛止部材を備えたスコップ収納部材を着脱自在に設置したことを特徴とする小動物用トイレである。
【発明の効果】
【００１６】
上記のような本願請求項１に記載の発明によれば、雑菌や悪臭を発生させる砂保持部材の貫通孔の目詰まりを防止することができ、ひいては小動物の糞尿による悪臭の発生を低減可能となった。又、貫通孔の目詰まり解消のための清掃をする必要がなく、トイレの清掃作業の回数を減らすことが可能となった。
【００１７】
又、請求項２に記載の発明によれば、貫通孔の目詰まり解消のためにトイレ砂の除去作業をする必要がなく、清掃作業が極めて容易に行えることができ、ひいては小動物の糞尿による悪臭の発生を低減可能となった。
【００１８】
又、請求項３に記載の発明によれば、雑菌や悪臭を発生させる砂保持部材の貫通孔の目詰まりを防止することができ、例え貫通孔の目詰まり解消が必要であってもトイレ砂の除去作業をする必要がなく、清掃作業が極めて容易に行えることができ、ひいては小動物の糞尿による悪臭の発生を低減可能となった。又、トイレの清掃作業の回数を減らすことが可能となった。
【００１９】
又、請求項４に記載の発明によれば、尿や破砕したトイレ砂の除去作業がきわめて容易となり、トイレ砂の除去作業をする必要がなく、清掃作業が極めて容易に行えることができ、ひいては小動物の糞尿による悪臭の発生を低減可能となった。
【００２０】
又、請求項５に記載の発明によれば、より清掃作業が極めて容易に行えることができた。
【００２１】
又、請求項６に記載の発明によれば、小動物用トレイの設置場所、設置方法にかかわらず、使用者が使用しやすい位置にスコップを収納可能となりその使用が便利となった。
【発明を実施するための最良の形態】
【００２２】
以下本発明の実施の形態を図に従って詳細に説明する。小動物用トイレ１（以下単にトイレ１という）は外側容器２、砂保持部材３、清掃手段４及び引出５を備えている。外側容器２、砂保持部材３、清掃手段４及び引出５はポリエチレン、ポリプロピレン、ポリスチレン等の合成樹脂を圧縮成形や射出成形等により成形するが、これに限定されることなく、木材、軽金属等を用いて適宜の方法で成形してもよい。合成樹脂を用いる場合には抗菌剤、防汚材等を含有させることは推奨される。
【００２３】
外側容器２は砂保持部材３、清掃手段４及び引出５を収納し、砂保持部材３から落下する破砕したトイレ砂や尿を受ける容器であり、上部開口の箱状体である。外側容器２は側壁２２に後述する軸４１５を挿入する溝２２１を上端から下方へ切欠いて設けると共に、前壁２１の下部には引出５を挿入する為の孔２１２を穿設している。又、少なくとも一側壁、例えば前壁２１の上部を切欠いて小動物の出入に適した凹部２１１を設けることは推奨される。
【００２４】
砂保持部材３はトイレ砂を収納するための容器であり、上部開口の箱状体であって、底面３１には底面３１の下面３１１方向への拡開部３２１を備えた複数の貫通孔３２，３２…を穿設している。即ち、貫通孔３２は底面３１の上面３１２に開口した穴３２９より下面３１１に開口した穴３２８の面積が大きくなるように形成している。具体的には図３に示すように、貫通孔３２の側面総てを拡開部３２１とし、縦断面を台形状のテーパー状に形成した孔（ａ）、縦断面を円弧状のテーパー状に形成した孔（ｂ）、底面３１の上面３１２から下方途中適宜位置までは拡開させず、途中適宜位置から下面３１１まで拡開させた孔（ｃ）、底面３１の上面３１２から下方途中適宜位置まで拡開させ、途中適宜位置から下面３１１までは拡開させない孔（ｄ）、底面３１の上面３１２から下方途中適宜位置までは拡開させず、途中適宜位置の適宜幅のみ拡開させ、途中適宜位置から下面３１１まで拡開させない孔（ｅ）等の形状を採用することが可能である。勿論穴３２９及び穴３２８孔の形状、即ち貫通孔３２の横断面の形状は、上面３１２に開口した穴３２９が破砕されていないトイレ砂を通過させなければ特に限定されず、円形、方形等適宜の形状とすることができる。
【００２５】
砂保持部材３は上部開口部に渡って外方下方へ折り返された縁部３４を形成して、外側容器２上部開口端に縁部３４を係合することにより砂保持部材３を外側容器２内に収納設置している。尚、縁部３４を底面３１と平行の平板状に形成し、縁部３４を外側容器２上部開口端に載置して設置してもよい。砂保持部材３には外側容器２の凹部２１１に対応させて少なくとも一側壁の上部を切欠いて小動物の出入に適した凹部３３を設けることは推奨される。
【００２６】
砂保持部材３は上述のような上部開口の箱状体とする他、上述のような複数の貫通孔３２を設けた平板状或いは底面に上述のような複数の貫通孔３２を設けると共に縁部に側壁を植立させたトレー状等の構成としてもよい。砂保持部材３を平板とした場合平板自体が砂保持部材３の底面となる。砂保持部材３たる平板、トレー等は、外側容器２との間に隙間ができぬように外側容器２への設置位置における内周形状と略同形状に形成し、外側容器２の内壁面の適宜高さに設けた突起乃至段部に載置して水平に設置させる。このような構成とした場合にはトイレ砂は砂保持部材３を底面とし、外側容器２の内壁面を側壁面として構成される上部開口の箱型の空間に収納される。
【００２７】
又、砂保持部材３は上部開口の箱状体の底面の略全面を開口させ、該底面の開口部に上述のような複数の貫通孔３２を設けた平板或いはトレー等を嵌合等して設置する二個以上の部材を用いる構成としてもよい。
【００２８】
清掃手段４は砂保持部材３の孔３２に詰まった或いは孔３２から下方に突出したトイレ砂を除去して落下させるためのものであり、砂保持部材３の底面３１の下面３１１上を摺動する摺動部材４９を有している。具体的には回動手段を備えた枠体４１、摺動部材４９たる毛４２３，４２３…が植毛されたベルト４２から構成されている。枠体４１は支柱４１１，４１１にて結合された側板４１２，４１２の両端間の一方にローラー４１３を回動自在に軸止し、他方には側板４１２，４１２間に渡した軸４１５の両端部に歯車４１４，４１４を設け、軸４１５を側板４１２に設けた挿通孔４１９から突出させて形成し、更に突出させた軸４１５の先端を曲折しハンドル４１６を形成している。勿論別個に形成したハンドル４１６を軸４１５の先端に結合してもよい。
【００２９】
ベルト４２は側板４１２，４１２間の幅で環状に形成し、両端には歯車４１４の歯に係合する係合孔４２１，４２１…を設けると共に、その表面４２２には合成樹脂等で形成した毛４２３，４２３…を植毛している。毛４２３，４２３…の植毛態様は底面３１の貫通孔３２，３２…が設けられている全面に毛４２３，４２３…が接触可能であれば特に限定されず、毛４２３，４２３…はベルト４２の短手方向に渡って連続して植毛してもよいが、図４によく示すように適宜間隔をあけて各前後の列ごとに横方向へずらして植毛してもよい。ベルト４２は、トイレ砂を引出５上へ落下させるため、軽量化のために植毛箇所を除いて打抜孔４２４，４２４…を設けることは推奨される。清掃手段４は外側容器２の対向する内壁面に設けた段部２９，２９に側板４１２，４１２を載置して、毛４２３，４２３…が砂保持部材３の底面３１の下面３１２に接触するように設置する。尚、側板４１２，４１２の両端間にローラー４１３，４１３を回動自在に軸止し、少なくとも一方のローラー４１３の両端に歯車４１４，４１４を設けて形成させることとしてもよい。
【００３０】
又、清掃手段４は外側容器２の段部２９，２９に載置して設置するのではなく、外側容器２に段部２９，２９を形成せず、砂保持部材３の底面両端部に先端に内方へ突出した爪３５１を有する鉤状の係止部材３５，３５…を形成し、爪３５１，３５１…上に側板４１２，４１２に載置して係止する構成としてもよい。係止部材３５の弾性が低い場合には清掃手段４をスライドさせ、弾性が高い場合には外方へ広げることにより清掃手段４は砂保持部材３に着脱自在となっている。
【００３１】
又、図１等に示す一実施例ではベルト４２はトイレ１の長手方向に回動する構成を示しているが、短手方向に回動する構成としてもよい。又、ベルト４２の回動はハンドル４１６を手動で回転させて行うことに限定されず、モーター等のアクチュエータを用いて軸４１５を回動させることによりベルト４２を回動させるような電気的機構を用いてもよい。
【００３２】
又、清掃手段４の他の実施形態としては、図７に示すように、摺動部材４９として棒状の基部４９１の上部に毛４２３，４２３…を植毛し、毛４２３，４２３…が底面３１の貫通孔３２，３２…が設けられている全面に接触可能に構成すると共に、外側容器２の奥行きの長さ以上の操作棒４９３を基部４９１の前面４９９に設けて構成してもよい。この実施形態の清掃手段４は基部４９１の両側面に突起４９４，４９４を形成し、外側容器２の両内壁面に設けたガイド溝２９４，２９４に突起４９４，４９４を挿入して設置する。ガイド溝２９４に替えて外側容器２の前後に渡る段部或いは突起を設け、該段部又は突起上に突起４９４を載置して、毛４２３，４２３…が砂保持部材３の底面３１の下面３１２に接触するように設置してもよい。又、基部４９１は四角柱等の多角柱等任意の棒状に形成すればよいが、トイレ砂が基部４９１上に溜まらないように三角柱の頂点に植毛したものや円柱、半円柱等の形状にすることが望ましい。
【００３３】
又、その設置は外側容器２の前面２１に孔２９３を穿孔し、操作棒４９３を挿通する。操作棒４９３は基部４９１に螺合等により着脱自在に設置する。基部４９１が外側容器２の後壁面２４に付勢されるように後壁面２４と基部４９１間にゴム等の弾性体を設置し或いは前壁面２１と基部４９１間にスプリング等の弾性体を設置して構成してもよい。このように基部４９１が外側容器２の後壁面２４に付勢されるように構成した場合には操作棒４９３に換えて紐状の操作紐にて構成してもよい。勿論、基部４９１が外側容器２の前壁面２１に付勢されるように構成してもよい。又、基部４９１を砂保持容器３に取り付ける構成としてもよく、具体的には砂保持部材３の底面両端部の全長に渡って先端に内方へ突出した爪を有する縦断面鉤状の係止部材を形成し、基部４９１を該爪上に載置する構成としてもよい。
【００３４】
又、図８に示すように、外側容器２の側壁２２に水平方向に長い長孔２２９を形成し、摺動部材である植毛された操作棒４９４は基部４９１の端面４９８に設け、長孔２２９から操作棒４９３を外側容器２の外側に突出させる構成としてもよい。操作棒４９４を長孔２２９に沿って移動させることにより毛４２３が砂保持部材３の底面３１１上を摺動する。操作棒４９４は基部４９１の両端面に設けると共に外側容器２の対向する両側壁２２，２２に長孔２２９，２２９を形成することとしてもよい。基部４９１は、砂保持部材３の底面両端部の全長に渡って先端に内方へ突出した爪３６１を有すると共に、長孔２２９に対応し、操作棒４９４を挿入する長孔３６２を一方に穿孔した縦断面鉤状の係止部材３６，３６を形成し、基部４９１を爪３６１，３６１上に載置する構成としてもよいが、外側容器２の内壁に長手方向に渡って設けた段部或いは突起２８上に載置することとしてもよい。
【００３５】
更に、図９に示すように外側容器２の長孔２２９及び操作棒４９４を設けずに、摺動部材たる基部４９１の端面に磁石９９を設置し、外側容器２の側壁２２の外側に磁石９８を当接して清掃手段４を動かすこととしてもよい。この場合さび防止のために磁石９８，９９は塗料や合成樹脂等により被覆することが望ましく、又、外側容器２の側壁２２外面の略全長に渡って水平に磁石９８を移動自在に保持するためにレール９７を形成することは推奨される。又、磁石９８には手でつまむための突起９６を設けることが望ましい。尚、磁石９９，９８は基部４９１と外側容器２の側壁２２外側に設置したものの内何れか一方が磁石で他方は磁石と吸着する鉄片等を用いてもよい。
【００３６】
毛４２３には各種合成樹脂や金属等を細紐状に形成したものや豚等の動物の毛等であって適宜の弾性及び剛性を備えているものを使用することが望ましい。又、ベルト４２又は基部４９１に毛４２３を植毛するのではなく、各種合成樹脂や金属の平板で構成されるスクレイパーを固定することとしてもよい。尚、清掃手段４の各部材の材料としては上述のように特に限定されないが、ベルト４２にはゴム等の高い弾性を有するものの使用がのぞましい。
【００３７】
引出５は砂保持部材３から落下してきたトイレ砂の屑や尿を受けるためのもので、外側容器２の底部に設置する。引出５は底面５１が外側容器２の底面と略同形状の上部開口の箱状体に形成する。両外側面５３，５３には全長に渡ってガイド溝５３１，５３１を形成すると共に、外側容器２のガイド溝５３１に対応する両内壁面には全長に渡って突起２３１，２３１を設け、前面５２には取手５２１を設けることが望ましい。尚、引出５の形状は、底面５１が外側容器２の底面と略同形状であればよく、上部開口の箱状のほかトレー状等としてもよい。
【００３８】
引出５には紙や水分吸収材を備えたトイレシーツ等の尿及びトイレ砂を受けるための敷物を固定するための固定手段５５を設けることは推奨される。固定手段５５としてはクリップ、一対のマグネット等が使用可能であり、引出５の後壁面５４の内側、或いは前壁面５２及び後壁面５４の内側等適宜の位置に設置可能である。尚、引出５を設けずに、トイレ砂の屑や尿を直接外側容器２の底面で受ける構成としてもよい。
【００３９】
又、トイレ１にはスコップ収納部材６を設置することが望ましい。スコップ収納部材６はトイレ砂をすくうスコップを収納するためのものであり、スコップの柄以外のすくい部を収納可能な、スコップの形状に適合させた上部開口の箱型に成形した収納部６１と収納部６１上端の一辺から平板を略逆Ｕ字型に曲折した掛止部材６２を備えている。スコップ収納部材６は掛止部材６２を砂保持部材３の縁部３４に掛止し、収納部６１をトイレ１の内側或いは外側に位置するように設置する。スコップ収納部材６は合成樹脂等で一体成形してもよいが、掛止部材６２は針金等の形状変更容易部材を用いて形成してもよい。又、収納部６１はスコップの先端を収納する構成ではなく、スコップを一対の爪等で係止する構成等としてもよい。スコップ収納部材６をこのような構成とすることで、トイレ１の何れの周縁部にも着脱可能に設置可能となり、従来のトイレ内部に設けられていた固着式の収納部材と異なり、トレイ１の設置場所、設置方法にかかわらず、使用者が使用しやすい位置にスコップを収納可能となる。
【００４０】
次に本発明の小動物用トイレ１の使用方法について説明する。先ず外側容器２に溝２２１に軸４１５を挿入すると共に、段部２９，２９に側板４１２，４１２を載置して清掃手段４を設置する。そして、外側容器２上部開口端に砂保持手段３の縁部３４を係合することにより砂保持部材３を外側容器２内に収納設置し、砂保持手段３にトレイ砂を入れる。引出５の固定手段５５を用いてトイレシーツを固定し、外側容器２へ挿入設置する。猫等の使用によりトイレ砂が破砕し、小さくなった場合には貫通孔３２に入る。この際貫通孔３２に入ったトイレ砂は貫通孔３２の下方向への拡開した構成により、貫通孔３２内にとどまったり、砂保持部材３の底面３１の下面３１１に付着することなく落下する。僅かのトイレ砂が貫通孔３２内にとどまったり、砂保持部材３の底面の下面に付着した場合には、ハンドル４１６を回転させてベルト４２を回動させることにより、毛４２３を砂保持部材３の底面３１の下面３１１上に摺動させて、即ち摺動部材４９を底面３１の下面３１１上に摺動させて目詰まり、付着を解消する。落下したトイレ砂は引出５にて受け、引出５を引出して不用のトイレ砂を廃棄する。
【００４１】
以上トイレ１の実施の形態として外側容器２、砂保持部材３、清掃手段４及び引出５を備えた構成として説明したが、外側容器２及び上述のような貫通孔３２を備える砂保持部材３のみから構成され、清掃手段４を備えないトイレ１、又は外側容器２、上述のような構成の貫通孔３２を備えない砂保持部材３及び清掃手段４から構成されるトイレ１、更にはこれらの構成に引出５又は／及びスコップ収納部材６を備えて構成されるトイレ１としてもよい。
【図面の簡単な説明】
【００４２】
【図１】本発明一実施例分解斜視図
【図２】本発明一実施例断面図
【図３】砂保持部材の貫通孔の実施例を示す図
【図４】清掃手段の一実施例一部破断上面図
【図５】本発明第２実施例部分斜視図
【図６】引出の一実施例斜視図
【図７】本発明第３実施例斜視図
【図８】本発明第４実施例斜視図
【図９】本発明第５実施例斜視図
【符号の説明】
【００４３】
１      小動物用トイレ
２      外側容器
２２１  凹部
３      砂保持部材
３１    底面
３２    貫通孔
３２１  拡開部
３３    凹部
４      清掃手段
４１    枠体
４２    ベルト
４２３  毛
４９    摺動部材
５      引出
５５    固定手段
６      スコップ収納部材
【図１】
2005143401.tif 000003
【図２】
2005143401.tif 000004
【図３】
2005143401.tif 000005
【図４】
2005143401.tif 000006
【図５】
2005143401.tif 000007
【図６】
2005143401.tif 000008
【図７】
2005143401.tif 000009
【図８】
2005143401.tif 000010
【図９】
2005143401.tif 000011